(57)【要約】【課題】ゼンマイバネの駆動時間延長を図りつつ部品点数の軽減、興趣性の向上を図ることを課題とする。【解決手段】ゼンマイバネ２１による駆動手段２０と、駆動力を移動手段１１に伝達する伝達手段３０と、調速を行う調速部材４２と、筐体７０Ａと、磁力により調速部材を制止状態から解放する入力機構５０Ｂとを備え、入力機構は、磁力により調速部材を解放する第一の入力アーム部材５１Ｂと、磁力により第一の入力アーム部材５１Ｂを回動させる第二の入力アーム部材５４Ｂを備え、第一と第二の入力アーム部材のいずれか一方を前側に配置し、他方を後側に配置する。【選択図】　　　図１０
2004024679.tif 000002
【特許請求の範囲】
【請求項１】
ゼンマイバネによる駆動手段と、
この駆動手段により回転駆動する歯車列を備えると共に前記駆動手段の駆動力を移動手段に伝達する伝達手段と、
揺動動作により二つの爪を交互に前記歯車列のいずれかの一の歯車の歯溝に侵入させて前記移動手段への調速を行う調速部材と、
を備え、
錘の載置部を有し、平時には前記調速部材の揺動動作を規制すると共に，前記載置部に錘の重量が加わると前記調速部材を揺動可能に解放する入力機構を備えることを特徴とする移動玩具。
【請求項２】
ゼンマイバネによる駆動手段と、
この駆動手段により回転駆動する歯車列を備えると共に前記駆動手段の駆動力を移動手段に伝達する伝達手段と、
揺動動作により二つの爪を交互に前記歯車列のいずれかの一の歯車の歯溝に侵入させて前記移動手段への調速を行う調速部材と、
前記駆動手段，伝達手段及び調速部材を格納する筐体と、
を備え、
平時には前記調速部材の揺動動作を規制すると共に，前記筐体の外側に向かう磁石の吸引力により前記調速部材の揺動動作を解放可能な入力機構を備えることを特徴とする移動玩具。
【請求項３】
前記入力機構は、前記筐体の外側に向かう磁石の吸引力により回動すると共に当該回動動作により前記調速部材の揺動動作を解放状態に切り替える第一の入力アーム部材を備えることを特徴とする請求項２記載の移動玩具。
【請求項４】
前記入力機構は、前記筐体の外側に向かう磁石の吸引力により回動すると共に，当該回動動作により前記第一の入力アーム部材を前記調速部材の揺動動作の解放を行う方向に回動させる第二の入力アーム部材を備え、
前記第一の入力アーム部材と第二の入力アーム部材のいずれか一方を前記筐体内の移動方向前側に配置すると共に他方を前記筐体内の移動方向後側に配置することを特徴とする請求項３記載の移動玩具。
【請求項５】
前記筐体が，少なくとも前記第一の入力アーム部材と第二の入力アーム部材の回動を行わせる所定の各位置で磁石の保持を可能とする構造を有することを特徴とする請求項４記載の移動玩具。
【発明の詳細な説明】
【０００１】
【発明の属する技術分野】
この発明は、移動玩具に関するもので、さらに詳しくは、走行動作や歩行動作等により移動を行う移動玩具に関するものである。
【０００２】
【従来の技術】
従来のゼンマイバネを動力源とする走行玩具や歩行玩具は、巻き付けにより畜勢されたゼンマイバネの弾性力を回転力に替えて走行輪や歩行脚部に伝達し、その走行や歩行を行っていた。このような走行玩具や歩行玩具は、遊技として楽しむ場合或いはその動作を鑑賞して楽しむ場合に、その走行動作や歩行動作が長時間継続することが望ましく、このため、動作が瞬時に終了しないように、動力伝達の途中の過程に調速手段を設けることが一般的に行われていた。
そして、上記ゼンマイバネを動力源とする走行玩具や歩行玩具は、走行輪や歩行脚部を手で押さえた上でゼンマイバネを巻いて畜勢し、走行輪や歩行脚部を解放することで走行動作や歩行動作を開始するのが一般的であった。
【０００３】
【発明が解決しようとする課題】
しかしながら、全ての玩具は、飽きられず長期に渡って遊技者を楽しませるために興趣性の要求が高いのが通常であり、単に手を離せば走行や歩行を開始するだけではその要求に十分に応えることは出来なかった。
かかる興趣性の要求に応えるために、ゼンマイバネの畜勢後、遊技者が何らかの操作を加えることで動作を開始する等の仕掛けを付加することも考えられるが、昨今のゼンマイバネを使用する玩具は小型化される傾向にあり、新しい仕掛けを実現する構成を付加する場合でも、その構成の単純化，部品点数の軽減化を図らねばならない、という不都合があった。
【０００４】
本発明は、かかる問題点に鑑みなされたもので、動作の継続時間を長く維持しつつも部品点数の軽減と興趣性の向上を同時に図り得る移動玩具を提供することをその目的とする。
【０００５】
【課題を解決するための手段】
請求項１記載の発明は、ゼンマイバネ（２１）による駆動手段（２０）と、この駆動手段により回転駆動する歯車列を備えると共に駆動手段の駆動力を移動手段（１１）に伝達する伝達手段（３０）と、揺動動作により二つの爪（４２ａ）を交互に歯車列のいずれかの一の歯車（３３）の歯溝に侵入させて移動手段への調速を行う調速部材（４２）と、を備え、錘（１００）の載置部（５４）を有し、平時には調速部材の揺動動作を規制すると共に，載置部に錘の重量が加わると調速部材を揺動可能に解放する入力機構（５０）を備える、という構成を採っている。
【０００６】
上記構成では、自らの揺動によって伝達手段に含まれる一の歯車に対して調速を行う調速部材が、平時には入力機構によりその揺動を規制されているので、調速部材の一方の爪が一の歯車の一の歯溝に侵入したままの状態が維持され、一の歯車は回転不能となる。従って、伝達手段の歯車全体が作動せず、かかる状態でゼンマイバネが畜勢状態にあっても、動力が移動手段に伝達されない。
そして、入力機構の錘の載置部に外部から錘が載置されると、当該入力機構は調速部材の揺動の規制を解除する。従って、調速部材は、一の歯車の回転により、歯溝に侵入していた一方の爪がはじき出され，これに伴って他方の爪が他の歯溝に侵入する。そして、この他方の爪もすぐにはじき出されて一方の爪が再び他の歯溝に侵入する、という動作が繰り返されて、一の歯車の回転速度が制限されることとなる。従って、移動手段は制限された速度で作動し、ゼンマイバネの畜勢状態が長く維持される。
なお、上記「一の歯車」の対象となる歯車は、ゼンマイバネから移動手段への駆動力の伝達のために直接用いられている歯車でも良く、これら伝達に用いられる歯車に噛み合う歯車でも良く、伝達と無関係の歯車でも良い。
【０００７】
請求項２記載の発明は、請求項１記載の発明と同様の構成を備えると共に、ゼンマイバネによる駆動手段と、この駆動手段により回転駆動する歯車列を備えると共に駆動手段の駆動力を移動手段に伝達する伝達手段と、揺動動作により二つの爪を交互に歯車列のいずれかの一の歯車の歯溝に侵入させて移動手段への調速を行う調速部材と、駆動手段，伝達手段及び調速部材を格納する筐体（７０Ａ）と、を備え、平時には調速部材の揺動動作を規制すると共に，筐体の外側に向かう磁石の吸引力により調速部材の揺動動作を解放可能な入力機構（５０Ａ）を備える、という構成を採っている。
【０００８】
上記構成では、調速部材が平時には入力機構によりその揺動を規制されているので、一の歯車を介して伝達手段の歯車全体が作動せず、ゼンマイバネが畜勢状態にあっても、動力が移動手段に伝達されない。
そして、筐体の外部へ向かう方向の磁石の吸引力が入力機構が作用すると、当該入力機構は調速部材の揺動の規制を解除する。従って、調速部材は、調速しつつ一の歯車の回転を許容し、移動手段は制限された速度で作動し、ゼンマイバネの畜勢状態が長く維持される。
なお、上記「筐体の外側に向かう磁石の吸引力」とは、移動玩具は磁石を有しておらず，筐体外部に配置された磁石から入力機構に吸引力が作用する場合と、入力機構自体が磁石を有し，筐体の外部に配置された磁石や磁性体に対して吸引力が作用する場合の双方を含むものとする。
また、上記「一の歯車」については、請求項１記載の構成の場合と同様である。
【０００９】
請求項３記載の発明は、請求項２記載の発明と同様の構成を備えると共に、入力機構は、筐体の外側に向かう磁石の吸引力により回動すると共に当該回動動作により調速部材の揺動動作を解放状態に切り替える第一の入力アーム部材（５１Ａ）を備える。
上記構成では、請求項２記載の発明と同様の動作が行われると共に、第一の入力アーム部材の回動端部（支点と反対側の端部）側に磁石の吸引力が作用すると、筐体外部側に当該第一の入力アーム部材が回動する。そして、かかる回動動作に基づいて調速部材の揺動規制状態が解除され、移動手段により動作が開始される。
【００１０】
請求項４記載の発明は、請求項３記載の発明と同様の構成を備えると共に、入力機構は、筐体の外側に向かう磁石の吸引力により回動すると共に，当該回動動作により第一の入力アーム部材（５１Ｂ）を調速部材の揺動動作の解放を行う方向に回動させる第二の入力アーム部材（５４Ｂ）を備え、第一の入力アーム部材と第二の入力アーム部材のいずれか一方を筐体内の移動方向前側に配置すると共に他方を筐体（７０Ｂ）内の移動方向後側に配置する、という構成を採っている。
【００１１】
上記構成では、請求項３記載の発明と同様の動作が行われると共に、第二の入力アーム部材の回動端部側に磁石の吸引力が作用すると、筐体外部側に当該第二の入力アーム部材が回動する。そして、かかる第二の入力アーム部材の回動動作によって第一の入力アーム部材も回動せしめられ、その結果，調速部材の揺動規制状態が解除され、移動手段により動作が開始される。
【００１２】
請求項５記載の発明は、請求項４記載の発明と同様の構成を備えると共に、筐体が，少なくとも第一の入力アーム部材と第二の入力アーム部材の回動を行わせる所定の各位置で磁石の保持を可能とする構造（７１Ａ，７２Ｂ）を有する、という構成を採っている。
上記構成では、請求項４記載の発明と同様の動作が行われると共に、磁石を筐体外部の所定位置にセットすることで移動動作を開始すると共に磁石を保持したまま継続的にそのまま移動する。
【００１３】
【発明の実施の形態】
（第一の実施形態の全体構成）
本発明の第一の実施形態について図１乃至図７に基づいて説明する。図１は第一の実施形態たる移動玩具としての走行玩具１０の断面図，図２は図１に開示されたゼンマイユニットの車軸方向に沿った断面図，図３は図２のＸ−Ｘ線に沿った断面図，図４は図２のＹ−Ｙ線に沿った断面図，図５，６は図１に開示された入力機構のゼンマイユニットに対する動作説明図，図７は走行玩具１０の使用態様を示す斜視図である。
【００１４】
上記走行玩具１０は、ゼンマイバネ２１を有する駆動手段２０とこの駆動手段２０により回転駆動する歯車列を備えると共に駆動手段２０の駆動力を移動手段としての一対の走行輪１１に伝達する伝達手段３０と揺動動作により二つの爪を交互に歯車列のうちの一つの歯車３３の歯溝に侵入させて走行輪１１による走行速度の調速を行う調速部材４２とを一つの箱体４１で一体化したゼンマイユニット４０と、このゼンマイユニット４０の箱体４１の外部から調速部材４２の揺動の規制とその解放とを切り替え可能な入力機構５０と、走行玩具１０の走行方向を変化させる進行方向可変手段６０と、上記各構成を格納する筐体としての本体ボディ７０とを備えている。以下、各部について詳細に説明する。
【００１５】
（ゼンマイユニットとその駆動手段）
上記ゼンマイユニット４０は、本体ボディ７０の内部床面の中央に配置されており、当該本体ボディ７０の内部床面に設けられた貫通穴からその外周の一部を外部に露出している一対の走行輪１１に駆動力を与えている。
ゼンマイユニット４０は、図２に示すように、その箱体４１から両端部が突出して設けられた入力軸４３と出力軸４４を有し、入力軸４３はその中央部に連結されたゼンマイバネ２１の畜勢を行うためのネジ巻き用把持部１２（図７参照）がその一端部に固定装備されている。また、出力軸４４の両端部にはそれぞれ走行輪１１（一方は図示略）が固定装備されている。なお、これら入力軸４３，出力軸４４は箱体４１に設けられた貫通穴により支持されており、それぞれの貫通穴はいずれも各軸４３，４４の回転を妨げないように緩やかに支持可能な径に設定されている。また、本体ボディ７０を水平面上に置いた状態において、入力軸４３及び出力軸４４はいずれも水平となるように箱体４１に支持されている。
【００１６】
箱体４１の内部は各軸４３，４４の長手方向に沿って並んだ第一室４１ａと第二室４１ｂとに分離され、第一室４１ａ内にはさらにゼンマイバネ２１を格納するゼンマイ室４１ｃが設けられている。かかるゼンマイ室４１ｃの内部において、ゼンマイバネ２１は外側の端部がゼンマイ室４１ｃの壁面に固定支持され、内側の端部はワンウェイクラッチ２２の逆止部材２３が連結されている。
【００１７】
ワンウェイクラッチ２２は、この逆止部材２３と出力歯車２４とから構成されている。逆止部材２３は入力軸４３の固定支持されており、小径部と大径部とが一体的に形成されている。そして、大径部は箱体４１の第二室４１ｂ内に配設され、小径部は第一室４１ａと第二室４１ｂの仕切壁に設けられた貫通穴に遊挿され、ゼンマイ室４１ｃの内部に侵入すると共にゼンマイバネ２１の内側端部に連結されている。即ち、ゼンマイバネ２１と入力軸４３とは逆止部材２３を介して連結されていることとなる。また、図３に示すように、逆止部材２３の大径部は弾性をもってその半径方向外側に突出した二つの逆止爪２３ａを有し、出力歯車２４の内側に設けられたノコ刃状の内周面を有する円孔部２４ａに係合している。
出力歯車２４は、その外周部は通常の平歯車と同様の構造を呈しているが、内側部は前述したようにその一面に設けられた円孔部２４ａに逆止部材２３が格納されている。かかる出力歯車２４は逆止部材２３を介して入力軸に支持されている。そして、その円孔部２４ａのノコ刃状の内周面は、逆止部材２３の逆止爪との間において、畜勢されたゼンマイバネに基づく回転力による回転方向については出力歯車２４に伝達し、逆方向の回転については出力歯車２４に対して逆止部材２３のみが空転するように設定されている。
従って、畜勢のために入力軸４３の把持部１２を介して図３における反時計方向にゼンマイバネ２１を巻くときには、逆止部材２３は出力歯車２４に対して空転し、畜勢後ゼンマイバネ２１から回転駆動力が出力されるときには出力歯車２４が従動し、伝達手段３０側に回転駆動力を出力する。
【００１８】
（ゼンマイユニットの伝達手段）
伝達手段３０は、ワンウェイクラッチ２２の出力歯車２４から回転駆動力を伝達される伝達歯車３１と、この伝達歯車３１からの回転駆動力を出力軸４４に伝達する従動歯車３２と、この従動歯車３２と噛み合うと共に調速部材４２とも係合している調速歯車３３とからなる歯車列により構成されている。
上記各歯車３１，３２，３３は、いずれも小歯車と大歯車とが同心で一体化されてなる変速歯車であり、伝達歯車３１はその小歯車で出力歯車２４から回転駆動力を受け、従動歯車３３はその小歯車で伝達歯車３１の大歯車から回転駆動力を受け、調速歯車３３はその小歯車が従動歯車３２の大歯車と噛み合っている。
また、伝達歯車３１と従動歯車３２とはいずれも箱体４１の第二室４２ｂ内に配設されているが、調速歯車３３は、その大歯車が第一室４１ａ内に配設され、小歯車は第一室４１ａと第二室４１ｂの仕切壁に設けられた貫通穴に遊挿されて第二室４１ｂ側において従動歯車３２の大歯車と噛み合っている。
かかる構成により、伝達手段３０は駆動手段２０からの回転駆動力を各走行輪１１に伝達する。また、調速歯車３３は、動力伝達に直接貢献するものではなく、調速部材４２との協働により、走行輪１１における出力速度を低減するために設けられている。そして、上述のように、調速歯車３３はその大歯車が調速部材４２に係合し、小歯車が従動歯車３２に噛合しているので、調速部材４２にわずかな力を加えるだけで従動歯車３２の回転駆動を制止することが可能である。
【００１９】
（ゼンマイユニットの調速部材）
調速部材４２は、並んで同方向に突設された二つの爪４２ａを有し、各爪４２ａの間となる位置を揺動動作の支点として箱体４１に支持されている。そして、これら各爪４２ａはいずれも調速歯車３３の大歯車の外周に向けられていると共にこれら各爪４２ａは少なくともいずれか一方が常に調速歯車３３の歯溝に侵入している状態となるように各爪４２ａの先端部が調速歯車３３に近接配置される。かかる配置とすることで、調速部材４２が入力機構５０により揺動を規制されていない状態において、回転駆動する従動歯車３３の一の歯溝に侵入している一方の爪４２ａが歯の斜面に当接すると共に歯溝の外部に滑り出され、これに伴い他方の爪４２ａが他の歯溝に侵入する。そして、この他方の爪４２ａもまた歯溝から滑り出されると共に一方の爪４２ａが歯溝に侵入する、という動作が繰り返されることで調速部材４２は絶えず揺動することとなる。また、従動歯車３３は絶えず少なくともいずれか一方の爪が歯溝内を摺動することから、その摩擦損失によって調速が行われる。
なお、調速部材４２は、各爪４２ａの突出方向と反対側に平坦面４２２ｂが形成されており、箱体４１の平坦面４２ｂと対向する部位に開口部が設けられている。そして、この開口部を介して調速部材４２の平坦面４２ｂを入力機構５０が押圧することで調速部材４２の揺動が規制されると共に一方の爪４２ａが調速歯車３３の回転を制止させ、従動歯車３２を介して走行輪１１の回転駆動も制止される。また、従動歯車３２が制止されることから、伝達歯車３１及びワンウェイクラッチ２２を介してゼンマイバネ２１は畜勢状態が維持される。
【００２０】
（入力機構）
入力機構５０は、自らの回動により調速部材４２の平坦面４２ｂにおける一方の爪４２ａの背後となる位置を押圧可能な入力アーム部材５１と、この入力アーム部材５１が調速部材４２の揺動を規制する方向に常時押圧する押圧バネ５２と、この押圧バネ５２に抗して入力アーム部材５１が調速部材４２の揺動の規制を解除する方向に押圧可能な操作リンク部材５３とを備えている。
【００２１】
入力アーム部材５１は、その長手方向中間部を支点として全体が回動可能となるように本体ボディ７０の内部に支持されており、その一端部には調速部材４２の平坦面４２ｂの所定位置を押圧する押圧突起が設けられ、他端部は，押圧突起が調速部材４２を押圧する方向に回動せしめる方向の押圧力を押圧バネ５２から受けている。
従って、平時（後述する操作リンク部材５３の載置部５４が無負荷状態の場合）においては、入力アーム部材５１は調速部材４２を常に押圧し、走行玩具１０の走行動作を規制する。
【００２２】
操作リンク部材５３は、その長手方向一端部において全体が回動可能となるように本体ボディ７０の内部に支持されており、その他端部には入力アーム部材５１の他端部を押圧バネ５２の反対側から押圧する押圧突起が設けられ、中間部には，本体ボディ７０の外部から錘１００（図７参照）を載置可能な載置部５４が形成されている。
上記載置部５４は、操作リンク部材５３の他の部位よりも幅を広い平坦面から形成されている。そして、本体ボディ７０の上部において、当該載置部５４に望む位置に貫通穴７１が形成され、かかる貫通穴７１から載置部５４に錘１００を載置することを可能としている。
即ち、入力機構５０は、載置部５４への錘１００の載置という外部操作によって、操作リンク部材５３を回動せしめ、さらにこれによって押圧バネ５２に抗して入力アーム部材５１を回動せしめ、調速部材４２の揺動規制状態を解除することを可能としている。
【００２３】
（進行方向可変手段）
進行方向可変手段６０は、ゼンマイユニット４０から突出した入力軸４３の把持部１２と反対側の端部に設けられたカム部材６１と、このカム部材６１により時折一方の走行輪１１のみを走行面（走行玩具１０が走行を行っている水平面）上から浮かせる直進入力アーム部材６２とを備えている。
上記カム部材６１は、入力軸４３を中心に互いに反対方向に突出した二つの突起部を有している。そして、調速部材４２が入力機構５０により揺動を規制されていない状態において、ゼンマイバネ２１に付勢されて回転する入力軸４３と共に回転動作を行う。
【００２４】
直進入力アーム部材６２は、その長手方向一端部において全体が回動可能となるように本体ボディ７０の内部に支持されており、その他端部にはカム部材６１の各突起部に当接して一方の回動方向に押し戻される従動突起６２ａが設けられている。
また、直進入力アーム部材６２は、その長手方向中間部に、本体ボディ７０の底面部に設けられた貫通穴７２からその先端部が突出可能な棒状部６２ｂが設けられている。かかる棒状部６２ｂは、上記従動突起６２ａがカム部材６１の突起部により押し戻されると、本体ボディ７０の貫通穴７２からの突出量がより増大する方向に向けられて形成されている。また、この棒状部６２ｂは、片方の走行輪１１側に近接して配置されており、その突出量の増大により、棒状部６２ｂは走行輪１１よりも下方に突出し、その先端部が走行面上に当接することにより片方の走行輪１１を走行面上から浮かせることができる。その結果、カム部材６１が従動突起６２ａを通過するわずかな時間においてのみ、走行玩具１０は浮いていない走行輪１１のみにより棒状部６２ｂを支点として回転走行を行い、その走行方向が変更される。
なお、上記カム部材６１は、走行時に回転駆動を行う上記各構成要素を支持するいずれの支軸に設けても良い。また、調速部材４２の支軸にカム部材６２ａを設け、調速部材４２の揺動動作に伴って棒状部６２ｂを下方に突出させるようにしても良い。
【００２５】
（本体ボディ）
本体ボディ７０は、上述のように、上記各構成を全て格納すると共に上述した各機能を損なわないようにその内部において各構成を支持している。また、その上部において貫通穴７１により載置部５４を露出しており、底部において各走行輪１１の下部及び棒状部６２ｂを走行面側に突出させている。また、走行を安定させるために、本体ボディ７０の底部にはその走行方向前後において、走行輪１１とほぼ同一の突出量で突部７３，７４を有している。各突部７３，７４は先端が丸みを帯びて走行面に対する滑りを良くしている。
また、本体ボディ７０は、図７に示すように、その外形がドーナツを模して形成されている。かかる外形とすることで遊技者に対する興趣性の向上を図っている。また、本体ボディ７０の外形については、遊技者の興味を引くような例えば、自動車，戦車，動植物，食品等の他のいずれのものの形態を模しても良い。また、錘１００についても図７に示すように動物を形取った人形の形態を採用している。このように錘１００として人形の形態を採用したことにより、走行玩具１０は人形を乗せると走行を開始することとなり、さらなる興趣性の向上を図ることが可能である。
【００２６】
（走行玩具の動作説明）
上記構成からなる走行玩具１０の動作を説明する。まず、ゼンマイバネ２１の畜勢を図るために図７（Ａ）に示すように把持部１２を手動操作により回転させる。一方、図５に示すように、錘１００を載置部５４に載置するまでは、入力機構５０の操作リンク部材５３は押圧バネ５２に抗することができないため、入力アーム部材５１はその押圧突起を介して調速部材４２の平坦面４２ｂを押圧し、調速歯車３３の回転が規制される。従って、ゼンマイバネ２１の畜勢が行われても、各歯車３１，３２，３３及び走行輪１１は回転できず、走行は行われない。
【００２７】
次に、ゼンマイバネ２１の畜勢が十分に行われた状態で、載置部５４に錘１００を遊技者が載置すると、図６に示すように、錘１００の荷重により操作リンク部材５３が押圧バネ５２に抗して回動し、さらには、入力アーム部材５１を回動せしめ、調速部材４２の揺動規制状態を解除する。これにより、調速部材４２は各爪４２ａを交互に揺すって揺動しつつ調速歯車３３を介して調速を行うと共に各歯車３１，３２，３３及び各走行輪１１が回転駆動を開始し、走行玩具１０は錘を載置した状態で走行を開始する。
【００２８】
また、進行方向可変手段６０のカム部材６１が入力軸４３と共に回転し、時折、直進入力アーム部材６２の従動突起６２ａを押し戻す。このため、棒状部６２ｂの先端部が走行面に当接して一方の走行輪１１を浮かすので、直進していた走行玩具１０は時折方向転換を行うこととなる。このように、直進走行だけでなく時折方向転換を行うことより、その動作の意外性からより興趣性が喚起される。
【００２９】
（走行玩具の効果）
以上のように、上記走行玩具１０は、調速部材４２を設けたので、調速歯車３３を介して走行輪１１の回転を低速で維持することが出来、ゼンマイバネ２１による駆動力を長時間維持することが可能となる。
さらに、入力機構５０は、調速部材４２を介して走行輪１１による走行の制止及び解除を切り替えることから、そのような機能を実行するための独立した部材を不要とし、部品点数の軽減を図ることができる。従って、走行玩具１０の生産性の向上と同時に小型化を実現することが可能となる。
さらに、錘１００の載置動作と除去という遊技者による外部操作により走行玩具１０の走行及び停止の制御を行うことが出来、より興趣性の向上を図ることが可能となる。
【００３０】
（第二の実施形態の全体構成）
本発明の第二の実施形態について図８乃至図９に基づいて説明する。図８は第二の実施形態たる移動玩具としての走行玩具１０Ａの断面図，図９は走行玩具１０Ａの使用態様を示す斜視図である。
なお、かかる走行玩具１０Ａについて前述した走行玩具１０と同一の構成については同符号を付して重複する説明は省略するものとする。
【００３１】
上記走行玩具１０Ａは、走行輪１１を回転駆動するゼンマイユニット４０と、このゼンマイユニット４０の箱体４１の外部から調速部材４２の揺動の規制とその解放とを切り替え可能な入力機構５０Ａと、上記各構成を格納する筐体としての本体ボディ７０Ａとを備えている。かかる走行玩具１０Ａは、本体ボディの内部でゼンマイユニット４０を縦置きに配置し、進行方向可変手段６０を備えていない点において走行玩具１０と異なっている。また、入力機構５０Ａの構成が前述した入力機構５０と大きく異なっているので、この点について詳細に説明することとする。
【００３２】
入力機構５０Ａは、自らの回動により調速部材４２の平坦面４２ｂにおける一方の爪４２ａの背後となる位置を押圧可能な第一の入力アーム部材５１Ａと、この第一の入力アーム部材５１Ａが調速部材４２の揺動を規制する方向に常時引き寄せる引っ張りバネ５２Ａと、この引っ張りバネ５２Ａに抗して第一の入力アーム部材５１Ａを調速部材４２の揺動の規制を解除する方向に回動せしめる磁性体５３Ａとを備えている。
【００３３】
第一の入力アーム部材５１Ａは、その長手方向一端部を支点として全体が回動可能となるように本体ボディ７０Ａの内部に支持されており、その他端部には調速部材４２の平坦面４２ｂの所定位置を押圧する押圧突起が設けられている。さらに、この第一の入力アーム部材５１Ａの中間部よりも幾分回動支点よりの位置において引っ張りバネ５２Ａが連結されており、当該引っ張りバネ５２Ａにより調速部材４２の揺動規制方向への回動力を受けている状態にある。
また、第一の入力アーム部材５１Ａの中間部よりも押圧突起に近い位置であって当該押圧突起と反対側（本体ボディ７０Ａの内壁に対向する側）には鉄やニッケルからなる磁性体５３Ａが固定装備されている。
【００３４】
一方、本体ボディ７０Ａの外部壁面であって前述した磁性体５３Ａに近接する位置には、やはり磁性体からなる磁石保持部材７１Ａが固定装備されている。そして、第一の入力アーム部材５１Ａ及び本体ボディ７０Ａについては磁性体以外の素材から形成されている。
【００３５】
（走行玩具の動作説明）
上記構成からなる走行玩具１０Ａの動作を説明する。まず、ゼンマイバネ２１の畜勢を図るために図９（Ａ）に示すように把持部１２を手動操作により回転させる。現時点では、図８に示すように、第一の入力アーム部材５１Ａは、引っ張りバネ５２Ａに引っ張られて、調速部材４２の平坦部４２ｂを押圧し、その揺動を規制した状態にある。従って、各歯車３１，３２，３３及び走行輪１１も回転駆動が規制される。
【００３６】
そして、図９（Ｂ）に示すように磁石保持部材７１Ａ（図９では図示略）に磁石１００Ａをセットすると、本体ボディ７０Ａの内部において、第一の入力アーム部材５１Ａに固定された磁性体５３Ａが磁石１００Ａ側に吸引力を受け、第一の入力アーム部材５１Ａは引っ張りバネ５２Ａの弾性に抗して磁石１００Ａ側に回動する。これにより、調速部材４２が揺動可能となり、調速歯車３３を介して調速を行うと共に各歯車３１，３２，３３及び各走行輪１１が回転駆動を開始し、走行玩具１０Ａは磁石１００Ａを保持した状態で走行を開始する。
【００３７】
（走行玩具の効果）
以上のように、上記走行玩具１０Ａは、調速部材４２による駆動力の長時間維持及び入力機構５０Ａによる部品点数の軽減を図ることができる。従って、走行玩具１０Ａは走行玩具と同様に生産性の向上と同時に小型化を実現することが可能となる。
さらに、磁石１００Ａのセットと除去という遊技者による外部操作により走行玩具１０Ａの走行及び停止の制御を行うことが出来、より興趣性の向上を図ることが可能となる。
また、本体ボディ７０Ａを、図９に示すように、その外形が動物キャラクターのような人形を模して形成されているため、遊技者に対する興趣性の向上を図ることが可能である。また、磁石１００Ａについても、図９に示すようなドーナツ等の食物を模していることにより、人形が食べ物を持って走っている光景を演出することが出来、さらなる興趣性の向上となる。
なお、本体ボディ７０Ａの外形については、遊技者の興味を引くような例えば、自動車，戦車，動植物，食品等の他のいずれのものの形態を模しても良い。また、磁石１００Ａについては本体ボディ７０Ａの外形に関連のある小物等を模することが望ましい。
また、本体ボディ７０Ａを磁性体により形成し、磁石保持部材７１Ａを構成から省略しても良い。その場合、本体ボディ７０Ａのいずれの位置に磁石１００Ａを吸着させるべきか識別するための表示を施すことが望ましい。
【００３８】
（第三の実施形態の全体構成）
本発明の第三の実施形態について図１０乃至図１１に基づいて説明する。図１０は第三の実施形態たる移動玩具としての走行玩具１０Ｂの断面図，図１１は走行玩具１０Ｂの使用態様を示す斜視図である。
なお、かかる走行玩具１０Ｂについて前述した走行玩具１０Ａと同一の構成については同符号を付して重複する説明は省略するものとする。
【００３９】
上記走行玩具１０Ｂは、走行輪１１を回転駆動するゼンマイユニット４０と、このゼンマイユニット４０の箱体４１の外部から調速部材４２の揺動の規制とその解放とを切り替え可能な入力機構５０Ｂと、上記各構成を格納する筐体としての本体ボディ７０Ｂとを備えている。かかる走行玩具１０Ｂは、入力機構５０Ｂの構成が前述した入力機構５０Ａと異なっているので、この点について詳細に説明することとする。
【００４０】
入力機構５０Ｂは、自らの回動により調速部材４２の平坦面４２ｂにおける一方の爪４２ａの背後となる位置を押圧可能な第一の入力アーム部材５１Ｂと、自らの回動により第一の入力アーム部材５１Ｂが調速部材４２の押圧状態を解除する方向に回動させる第二の入力アーム部材５４Ｂと、第一の入力アーム部材５１Ｂと第二の入力アーム部材５４Ｂとが互いの回動端部を近接させる方向にこれらを引き寄せる引っ張りバネ５２Ｂと、この引っ張りバネ５２Ｂに抗して第一の入力アーム部材５１Ｂを調速部材４２の揺動の規制を解除する方向に回動せしめる磁性体５３Ｂと、第一の入力アーム部材５１Ｂが調速部材４２の揺動規制を解除する方向に回動するように引っ張りバネ５２Ｂに抗して第二の入力アーム部材５４Ｂに回動せしめる磁性体５５Ｂと、を備えている。
【００４１】
第一の入力アーム部材５１Ｂは、その長手方向一端部を支点として全体が回動可能となるように本体ボディ７０Ｂの内部に支持されており、その他端部には調速部材４２の平坦面４２ｂの所定位置を押圧する押圧突起が設けられている。また、第一の入力アーム部材５１Ｂは本体ボディ７０Ｂの内部においてゼンマイユニット４０よりも走行玩具１０Ｂの走行方向前側に配置されている。
さらに、この第一の入力アーム部材５１Ｂの中間部よりも幾分回動支点寄りの位置において引っ張りバネ５２Ｂが連結されており、当該引っ張りバネ５２Ｂにより調速部材４２の揺動規制方向への回動力を受けている状態にある。
また、第一の入力アーム部材５１Ｂの中間部よりも押圧突起に近い位置であって当該押圧突起と反対側（本体ボディ７０Ｂの内壁に対向する側）には鉄やニッケルからなる磁性体５３Ｂが固定装備されている。
さらに、この第一の入力アーム部材５１Ｂは、その回動支点が第二の入力アーム部材５４Ｂの回動支点と近接して配置されており、第一の入力アーム部材５１Ｂの回動支点側の端部には、第二の入力アーム部材５４Ｂの回動支点側端部に設けられた主動突起５７Ｂと係合する従動突起５６Ｂが設けられている。かかる従動突起５６Ｂは、第二の入力アーム部材５４Ｂが引っ張りバネに抗して回動する際にその主動突起５７Ｂに当接し、第一の入力アーム部材５１Ｂに対して調速部材４２の揺動規制を解除する方向に回動する回動力を伝達されるために設けられている。
【００４２】
第二の入力アーム部材５４Ｂは、その長手方向一端部を支点として全体が回動可能となるように本体ボディ７０Ｂの内部に支持されている。また、第二の入力アーム部材５４Ｂは本体ボディ７０Ｂの内部においてゼンマイユニット４０よりも走行玩具１０Ｂの走行方向後側に配置されており、前述した引っ張りバネ５２Ｂは、第二の入力アーム部材５４Ｂの回動端部がゼンマイユニット４０に当接する方向に引き寄せる力を付与している。
また、第二の入力アーム部材５４Ｂの回動端部に近い位置であって当本体ボディ７０Ｂの内壁に対向する側には鉄やニッケルからなる磁性体５５Ｂが固定装備されている。
さらに、この第二の入力アーム部材５４Ｂの回動支点側の端部には、第一の入力アーム部材５１Ｂの回動支点側端部に設けられた従動突起５６Ｂと係合する主動突起５７Ｂが設けられている。かかる主動突起５７Ｂは、前述したように第二の入力アーム部材５４Ｂが引っ張りバネに抗して回動する際に、従動突起５６Ｂを介して調速部材４２の揺動規制を解除する方向に回動する回動力を第一の入力アーム部材５１Ｂに入力する。
【００４３】
一方、本体ボディ７０Ｂの外部壁面であって前述した磁性体５３Ｂ，５５Ｂに近接する各位置には、やはり磁性体からなる磁石保持部材７１Ａ，７２Ｂが固定装備されている。そして、第一の入力アーム部材５１Ｂ，第二の入力アーム部材５４Ｂ及び本体ボディ７０Ｂについては磁性体以外の素材から形成されている。
【００４４】
（走行玩具の動作説明）
上記構成からなる走行玩具１０Ｂの動作を説明する。まず、ゼンマイバネ２１の畜勢を図るために把持部１２を手動操作により回転させる（参照図９（Ａ））。現時点では、図１０に示すように、第一の入力アーム部材５１Ｂは、引っ張りバネ５２Ｂに引っ張られて、調速部材４２の平坦部４２ｂを押圧し、その揺動を規制した状態にある。また、第二の入力アーム部材５４Ｂもまたゼンマイユニット４０に回動端部が当接する方向に引っ張りバネ５２Ｂによって引っ張られている状態にある。従って、各歯車３１，３２，３３及び走行輪１１も回転駆動が規制される。
【００４５】
そして、磁石保持部材７１Ａ（図９（Ｂ）参照）に磁石１００Ａをセットすると、本体ボディ７０Ｂの内部において、第一の入力アーム部材５１Ｂに固定された磁性体５３Ｂが磁石１００Ａ側に吸引力を受け、第一の入力アーム部材５１Ｂは引っ張りバネ５２Ｂの弾性に抗して磁石１００Ａ側に回動する。これにより、調速部材４２が揺動可能となり、調速歯車３３を介して調速を行うと共に各歯車３１，３２，３３及び各走行輪１１が回転駆動を開始し、走行玩具１０Ｂは磁石１００Ａを磁石保持部材７１Ａに保持した状態で走行を開始する。
また、磁石保持部材７１Ａではなく磁石保持部材７２Ｂに磁石１００Ａをセットすると、本体ボディ７０Ｂの内部において、第二の入力アーム部材５４Ｂに固定された磁性体５５Ｂが磁石１００Ａ側に吸引力を受け、第二の入力アーム部材５４Ｂは引っ張りバネ５２Ｂの弾性に抗して磁石１００Ａ側に回動する。すると、第二の入力アーム部材５４Ｂの主動突起５７Ｂが第一の入力アーム部材５１Ｂの従動突起５６Ｂを押圧して調速部材４２の揺動解除方向に回動させる。これにより、調速部材４２が揺動可能となり、調速歯車３３を介して調速を行うと共に各歯車３１，３２，３３及び各走行輪１１が回転駆動を開始し、走行玩具１０Ｂは磁石１００Ａを磁石保持部材７２Ｂに保持した状態で走行を開始する。
【００４６】
（走行玩具の効果）
以上のように、上記走行玩具１０Ｂは、走行玩具１０Ａと同様の効果を実現する。
そして、各入力アーム部材５１Ｂ，５４Ｂをそれぞれ本体ボディ７０Ｂの内部における前後位置に配設しているので、例えば、図１１（Ａ）に示すように、磁石１００Ａを保持して走行する一の走行玩具１０Ｂを走行制止状態にある他の走行玩具１０Ｂの後方から接近させると、走行制止状態の走行玩具１０Ｂの磁石保持部材７２Ｂに磁石１００Ａが吸着し、二つの走行玩具１０Ｂを連結させた状態で同時に走行させることが可能となる。従って、上記各入力アーム部材５１Ｂ，５４Ｂの存在により、上記のように、遊技の態様が拡大し、飛躍的な興趣性の向上を図ることが可能である。
【００４７】
（その他）
なお、本体ボディ７０Ｂについて種々の形態を取るべきことは、前述の本体ボディ７０Ａの場合と同様である。
また、本体ボディ７０Ｂを磁性体により形成し、磁石保持部材７１Ｂ，７２Ｂを構成から省略しても良い。その場合、本体ボディ７０Ｂのいずれの位置に磁石１００Ａを吸着させるべきか識別するための表示を施すことが望ましい。
さらに、第一の入力アーム部材５１Ｂと第二の入力アーム部材５４Ｂとはそれぞれ突起５６Ｂ，５７Ｂとにより連動を図っているが、連動を可能とする他の手法を採用しても良い。例えば、各入力アーム部材５１Ｂ，５４Ｂの各回動支点側端部外周に違いに噛み合う歯車の歯を形成しても良い。
【００４８】
なお、上記第一、二、三の各実施形態ではいずれも走行動作を行う走行玩具を実施形態として示しているが、他の移動動作（例えば歩行動作等）を行う玩具に本発明を適用しても良い。
【００４９】
【発明の効果】
本発明では、調速部材を有するので玩具の動作を長時間に渡って維持することが可能である。
さらに、入力機構が、動力伝達に干渉する調速部材を介して移動動作の可動状態と制止状態とを切り替えるために、可動制止の切換のための独立した構成を不要とし、部品点数を軽減し生産性の向上図ることが可能である。
【００５０】
さらに、入力機構が、載置部への錘の載置により調速部材を解放する構成の場合には、玩具の動作の開始を錘の載置という遊技者の作業により制御することができるので、遊技行為自体へ直接参加することによる興趣性の向上が図られる。
【００５１】
また、入力機構が、筐体外部へ働く磁石の吸引力により調速部材を解放する構成の場合には、磁石や磁性体の外部からの操作という遊技者の作業により玩具の動作の開始を制御することができるので、遊技行為自体へ直接参加することによる興趣性の向上が図られる。
【００５２】
さらに、入力機構が筐体内部における前後に配置した第一及び第二の入力アーム部材を備える構成の場合には、磁石や磁性体による外部からの操作を、玩具の前方と後方のいずれからでも行うことができるので、遊技方法が拡大し、さらなる興趣性の向上が図られる。
【００５３】
また、上記第一及び第二の入力アーム部材に加えて、筐体に各アーム部材に対応する位置での磁石の保持を可能とする構成の場合には、磁石をセットすることで移動動作の開始が図られ、さらには磁石を保持した状態で移動するので、移動方向先に磁石の吸引力で作動する他の玩具が存在する場合、当該他の玩具の移動も開始させることが可能となる等のように、全く異種で新しい遊技方法にまで当該遊技方法を拡大することができ、飛躍的な興趣性の向上が図られる。
【図面の簡単な説明】
【図１】第一の実施形態たる走行玩具の垂直平面に沿った断面図である。
【図２】図１に開示されたゼンマイユニットの車軸方向に沿った断面図である。
【図３】図２におけるＹ−Ｙ線に沿った断面図である。
【図４】図２におけるＸ−Ｘ線に沿った断面図である。
【図５】図１に開示された入力機構の平時におけるゼンマイユニットに対する動作説明図である。
【図６】図１に開示された入力機構の錘の載置時におけるゼンマイユニットに対する動作説明図である。
【図７】走行玩具の使用態様を示す斜視図であり、図７（Ａ）は走行動作が規制された状態を示し、図７（Ｂ）は錘の載置により走行が解除された状態を示す。
【図８】第二の実施形態たる走行玩具の垂直平面に沿った断面図である。
【図９】走行玩具の使用態様を示す斜視図であり、図９（Ａ）は走行動作が規制された状態を示し、図９（Ｂ）は磁石の付着により走行が解除された状態を示す。
【図１０】第三の実施形態たる走行玩具の垂直平面に沿った断面図である。
【図１１】走行玩具の遊技態様の一例を示す斜視図であり、図１１（Ａ）は一方が走行し、他方が走行動作が規制された状態を示し、図１１（Ｂ）は磁石の付着により双方とも走行が解除された状態を示す。
【符号の説明】
１０，１０Ａ，１０Ｂ　走行玩具
１１　走行輪（移動手段）
２０　駆動手段
２１　ゼンマイバネ
３０　伝達手段
４０　ゼンマイユニット
４２　調速部材
４２ａ　爪
５０，５０Ａ，５０Ｂ　入力機構
５１Ａ，５１Ｂ　第一の入力アーム部材
５４Ｂ　第二の入力アーム部材
５４　載置部
７０，７０Ａ，７０Ｂ　本体ボディ（筐体）
７１Ａ，７２Ｂ　磁石保持部材
１００　錘
１００Ａ　磁石
【図１】
2004024679.tif 000003
【図２】
2004024679.tif 000004
【図３】
2004024679.tif 000005
【図４】
2004024679.tif 000006
【図５】
2004024679.tif 000007
【図６】
2004024679.tif 000008
【図７】
2004024679.tif 000009
【図８】
2004024679.tif 000010
【図９】
2004024679.tif 000011
【図１０】
2004024679.tif 000012
【図１１】
2004024679.tif 000013
【手続補正書】
【提出日】平成14年12月25日(2002.12.25)
【手続補正１】
【補正対象書類名】明細書
【補正対象項目名】特許請求の範囲
【補正方法】変更
【補正の内容】
【特許請求の範囲】
【請求項１】
ゼンマイバネによる駆動手段と、
この駆動手段により回転駆動する歯車列を備えると共に前記駆動手段の駆動力を移動手段に伝達する伝達手段と、
揺動動作により二つの爪を交互に前記歯車列のいずれかの一の歯車の歯溝に侵入させて前記移動手段への調速を行う調速部材と、
前記駆動手段，伝達手段及び調速部材を格納する筐体と、
平時には前記調速部材の揺動動作を規制すると共に，前記筐体の外側に向かう磁石の吸引力により前記調速部材の揺動動作を解放可能な入力機構とを備え、
前記入力機構は、前記筐体の外側に向かう磁石の吸引力により回動すると共に当該回動動作により前記調速部材の揺動動作を解放状態に切り替える第一の入力アーム部材と、
前記筐体の外側に向かう磁石の吸引力により回動すると共に，当該回動動作により前記第一の入力アーム部材を前記調速部材の揺動動作の解放を行う方向に回動させる第二の入力アーム部材とを備え、
前記第一の入力アーム部材と第二の入力アーム部材のいずれか一方を前記筐体内の移動方向前側に配置すると共に他方を前記筐体内の移動方向後側に配置することを特徴とする移動玩具。
【請求項２】
前記筐体が，少なくとも前記第一の入力アーム部材と第二の入力アーム部材の回動を行わせる所定の各位置で磁石の保持を可能とする構造を有することを特徴とする請求項１記載の移動玩具。
【手続補正２】
【補正対象書類名】明細書
【補正対象項目名】０００５
【補正方法】変更
【補正の内容】
【０００５】
【課題を解決するための手段】
請求項１記載の発明は、ゼンマイバネ（２１）による駆動手段（２０）と、この駆動手段により回転駆動する歯車列を備えると共に駆動手段の駆動力を移動手段（１１）に伝達する伝達手段（３０）と、揺動動作により二つの爪（４２ａ）を交互に歯車列のいずれかの一の歯車（３３）の歯溝に侵入させて移動手段への調速を行う調速部材（４２）と、駆動手段，伝達手段及び調速部材を格納する筐体（７０Ａ）と、を備え、平時には調速部材の揺動動作を規制すると共に，筐体の外側に向かう磁石の吸引力により調速部材の揺動動作を解放可能な入力機構（５０Ａ）とを備えている。
【手続補正３】
【補正対象書類名】明細書
【補正対象項目名】０００６
【補正方法】変更
【補正の内容】
【０００６】
そして、入力機構は、筐体の外側に向かう磁石の吸引力により回動すると共に当該回動動作により調速部材の揺動動作を解放状態に切り替える第一の入力アーム部材（５１Ｂ）と筐体の外側に向かう磁石の吸引力により回動すると共に，当該回動動作により第一の入力アーム部材（５１Ｂ）を調速部材の揺動動作の解放を行う方向に回動させる第二の入力アーム部材（５４Ｂ）を備えている。
【手続補正４】
【補正対象書類名】明細書
【補正対象項目名】０００７
【補正方法】変更
【補正の内容】
【０００７】
さらに、第一の入力アーム部材と第二の入力アーム部材のいずれか一方を筐体内の移動方向前側に配置すると共に他方を筐体（７０Ｂ）内の移動方向後側に配置する、という構成を採っている。
【手続補正５】
【補正対象書類名】明細書
【補正対象項目名】０００８
【補正方法】変更
【補正の内容】
【０００８】
上記構成では、調速部材が平時には入力機構によりその揺動を規制されているので、一の歯車を介して伝達手段の歯車全体が作動せず、ゼンマイバネが畜勢状態にあっても、動力が移動手段に伝達されない。
そして、筐体の外部へ向かう方向の磁石の吸引力が入力機構が作用すると、当該入力機構は調速部材の揺動の規制を解除する。従って、調速部材は、調速しつつ一の歯車の回転を許容し、移動手段は制限された速度で作動し、ゼンマイバネの畜勢状態が長く維持される。
【手続補正６】
【補正対象書類名】明細書
【補正対象項目名】０００９
【補正方法】変更
【補正の内容】
【０００９】
なお、上記「筐体の外側に向かう磁石の吸引力」とは、移動玩具は磁石を有しておらず，筐体外部に配置された磁石から入力機構に吸引力が作用する場合と、入力機構自体が磁石を有し，筐体の外部に配置された磁石や磁性体に対して吸引力が作用する場合の双方を含むものとする。
また、上記「一の歯車」の対象となる歯車は、ゼンマイバネから移動手段への駆動力の伝達のために直接用いられている歯車でも良く、これら伝達に用いられる歯車に噛み合う歯車でも良く、伝達と無関係の歯車でも良い。
【手続補正７】
【補正対象書類名】明細書
【補正対象項目名】００１０
【補正方法】変更
【補正の内容】
【００１０】
さらに、上記構成では、第一の入力アーム部材の回動端部（支点と反対側の端部）側に磁石の吸引力が作用すると、筐体外部側に当該第一の入力アーム部材が回動する。そして、かかる回動動作に基づいて調速部材の揺動規制状態が解除され、移動手段により動作が開始される。
【手続補正８】
【補正対象書類名】明細書
【補正対象項目名】００１１
【補正方法】変更
【補正の内容】
【００１１】
さらに、上記構成では、第二の入力アーム部材の回動端部側に磁石の吸引力が作用すると、筐体外部側に当該第二の入力アーム部材が回動する。そして、かかる第二の入力アーム部材の回動動作によって第一の入力アーム部材も回動せしめられ、その結果，調速部材の揺動規制状態が解除され、移動手段により動作が開始される。


【手続補正９】
【補正対象書類名】明細書
【補正対象項目名】００１２
【補正方法】変更
【補正の内容】
【００１２】
請求項２記載の発明は、請求項１記載の発明と同様の構成を備えると共に、筐体が，少なくとも第一の入力アーム部材と第二の入力アーム部材の回動を行わせる所定の各位置で磁石の保持を可能とする構造（７１Ａ，７２Ｂ）を有する、という構成を採っている。
上記構成では、請求項１記載の発明と同様の動作が行われると共に、磁石を筐体外部の所定位置にセットすることで移動動作を開始すると共に磁石を保持したまま継続的にそのまま移動する。


【手続補正１０】
【補正対象書類名】明細書
【補正対象項目名】００１３
【補正方法】変更
【補正の内容】
【００１３】
【発明の実施の形態】
（比較例の全体構成）
本発明の比較例について図１乃至図７に基づいて説明する。図１は比較例たる移動玩具としての走行玩具１０の断面図，図２は図１に開示されたゼンマイユニットの車軸方向に沿った断面図，図３は図２のＸ−Ｘ線に沿った断面図，図４は図２のＹ−Ｙ線に沿った断面図，図５，６は図１に開示された入力機構のゼンマイユニットに対する動作説明図，図７は走行玩具１０の使用態様を示す斜視図である。


【手続補正１１】
【補正対象書類名】明細書
【補正対象項目名】００１８
【補正方法】変更
【補正の内容】
【００１８】
（ゼンマイユニットの伝達手段）
伝達手段３０は、ワンウェイクラッチ２２の出力歯車２４から回転駆動力を伝達される伝達歯車３１と、この伝達歯車３１からの回転駆動力を出力軸４４に伝達する従動歯車３２と、この従動歯車３２と噛み合うと共に調速部材４２とも係合している調速歯車３３とからなる歯車列により構成されている。
上記各歯車３１，３２，３３は、いずれも小歯車と大歯車とが同心で一体化されてなる変速歯車であり、伝達歯車３１はその小歯車で出力歯車２４から回転駆動力を受け、従動歯車３２はその小歯車で伝達歯車３１の大歯車から回転駆動力を受け、調速歯車３３はその小歯車が従動歯車３２の大歯車と噛み合っている。
また、伝達歯車３１と従動歯車３２とはいずれも箱体４１の第二室４２ｂ内に配設されているが、調速歯車３３は、その大歯車が第一室４１ａ内に配設され、小歯車は第一室４１ａと第二室４１ｂの仕切壁に設けられた貫通穴に遊挿されて第二室４１ｂ側において従動歯車３２の大歯車と噛み合っている。
かかる構成により、伝達手段３０は駆動手段２０からの回転駆動力を各走行輪１１に伝達する。また、調速歯車３３は、動力伝達に直接貢献するものではなく、調速部材４２との協働により、走行輪１１における出力速度を低減するために設けられている。そして、上述のように、調速歯車３３はその大歯車が調速部材４２に係合し、小歯車が従動歯車３２に噛合しているので、調速部材４２にわずかな力を加えるだけで従動歯車３２の回転駆動を制止することが可能である。


【手続補正１２】
【補正対象書類名】明細書
【補正対象項目名】００１９
【補正方法】変更
【補正の内容】
【００１９】
（ゼンマイユニットの調速部材）
調速部材４２は、並んで同方向に突設された二つの爪４２ａを有し、各爪４２ａの間となる位置を揺動動作の支点として箱体４１に支持されている。そして、これら各爪４２ａはいずれも調速歯車３３の大歯車の外周に向けられていると共にこれら各爪４２ａは少なくともいずれか一方が常に調速歯車３３の歯溝に侵入している状態となるように各爪４２ａの先端部が調速歯車３３に近接配置される。かかる配置とすることで、調速部材４２が入力機構５０により揺動を規制されていない状態において、回転駆動する調速歯車３３の一の歯溝に侵入している一方の爪４２ａが歯の斜面に当接すると共に歯溝の外部に滑り出され、これに伴い他方の爪４２ａが他の歯溝に侵入する。そして、この他方の爪４２ａもまた歯溝から滑り出されると共に一方の爪４２ａが歯溝に侵入する、という動作が繰り返されることで調速部材４２は絶えず揺動することとなる。また、調速歯車３３は絶えず少なくともいずれか一方の爪が歯溝内を摺動することから、その摩擦損失によって調速が行われる。
なお、調速部材４２は、各爪４２ａの突出方向と反対側に平坦面４２２ｂが形成されており、箱体４１の平坦面４２ｂと対向する部位に開口部が設けられている。そして、この開口部を介して調速部材４２の平坦面４２ｂを入力機構５０が押圧することで調速部材４２の揺動が規制されると共に一方の爪４２ａが調速歯車３３の回転を制止させ、従動歯車３２を介して走行輪１１の回転駆動も制止される。また、従動歯車３２が制止されることから、伝達歯車３１及びワンウェイクラッチ２２を介してゼンマイバネ２１は畜勢状態が維持される。


【手続補正１３】
【補正対象書類名】明細書
【補正対象項目名】００３０
【補正方法】変更
【補正の内容】
【００３０】
（他の比較例の全体構成）
本発明の他の比較例について図８乃至図９に基づいて説明する。図８は他の比較例たる移動玩具としての走行玩具１０Ａの断面図，図９は走行玩具１０Ａの使用態様を示す斜視図である。
なお、かかる走行玩具１０Ａについて前述した走行玩具１０と同一の構成については同符号を付して重複する説明は省略するものとする。


【手続補正１４】
【補正対象書類名】明細書
【補正対象項目名】００３８
【補正方法】変更
【補正の内容】
【００３８】
（発明の実施形態の全体構成）
本発明の実施形態について図１０乃至図１１に基づいて説明する。図１０は実施形態たる移動玩具としての走行玩具１０Ｂの断面図，図１１は走行玩具１０Ｂの使用態様を示す斜視図である。
なお、かかる走行玩具１０Ｂについて前述した走行玩具１０Ａと同一の構成については同符号を付して重複する説明は省略するものとする。


【手続補正１５】
【補正対象書類名】明細書
【補正対象項目名】００４８
【補正方法】変更
【補正の内容】
【００４８】
なお、上記実施形態ではいずれも走行動作を行う走行玩具を実施形態として示しているが、他の移動動作（例えば歩行動作等）を行う玩具に本発明を適用しても良い。


【手続補正１６】
【補正対象書類名】明細書
【補正対象項目名】００４９
【補正方法】変更
【補正の内容】
【００４９】
【発明の効果】
本発明では、調速部材を有するので玩具の動作を長時間に渡って維持することが可能である。


【手続補正１７】
【補正対象書類名】明細書
【補正対象項目名】００５０
【補正方法】変更
【補正の内容】
【００５０】
さらに、入力機構が、動力伝達に干渉する調速部材を介して移動動作の可動状態と制止状態とを切り替えるために、可動制止の切換のための独立した構成を不要とし、部品点数を軽減し生産性の向上図ることが可能である。
【手続補正１８】
【補正対象書類名】明細書
【補正対象項目名】図面の簡単な説明
【補正方法】変更
【補正の内容】
【図面の簡単な説明】
【図１】比較例たる走行玩具の垂直平面に沿った断面図である。
【図２】図１に開示されたゼンマイユニットの車軸方向に沿った断面図である。
【図３】図２におけるＸ−Ｘ線に沿った断面図である。
【図４】図３におけるＹ−Ｙ線に沿った断面図である。
【図５】図１に開示された入力機構の平時におけるゼンマイユニットに対する動作説明図である。
【図６】図１に開示された入力機構の錘の載置時におけるゼンマイユニットに対する動作説明図である。
【図７】走行玩具の使用態様を示す斜視図であり、図７（Ａ）は走行動作が規制された状態を示し、図７（Ｂ）は錘の載置により走行が解除された状態を示す。
【図８】他の比較例たる走行玩具の垂直平面に沿った断面図である。
【図９】走行玩具の使用態様を示す斜視図であり、図９（Ａ）は走行動作が規制された状態を示し、図９（Ｂ）は磁石の付着により走行が解除された状態を示す。
【図１０】発明の実施形態たる走行玩具の垂直平面に沿った断面図である。
【図１１】走行玩具の遊技態様の一例を示す斜視図であり、図１１（Ａ）は走行動作が規制された状態を示し、図１１（Ｂ）は磁石の付着により走行が解除された状態を示す。
【符号の説明】
１０，１０Ａ，１０Ｂ　走行玩具
１１　走行輪（移動手段）
２０　駆動手段
２１　ゼンマイバネ
３０　伝達手段
４０　ゼンマイユニット
４２　調速部材
４２ａ　爪
５０，５０Ａ，５０Ｂ　入力機構
５１Ａ，５１Ｂ　第一の入力アーム部材
５４Ｂ　第二の入力アーム部材
５４　載置部
７０，７０Ａ，７０Ｂ　本体ボディ（筐体）
７１Ａ，７２Ｂ　磁石保持部材
１００　錘
１００Ａ　磁石